(57)【要約】 【課題】機器と、システムが接続されるネットワークとの通信を遮断しつつ、当該機器と当該システムとの無線通信を行う。【解決手段】本発明に係るシステムは、第１の通信部と第２の通信部と実行部とを備える。第１の通信部は、第１のネットワークセグメントに接続される。第２の通信部は、第１のネットワークセグメントとは異なる第２のネットワークセグメントに接続され、所定の処理の実行を要求する処理要求を、第２のネットワークセグメントを介して機器から受信し、その受信した処理要求を第１の通信部へ送信する。実行部は、第１の通信部で受信した処理要求に応じて、所定の処理を実行する。【選択図】図１
2015142288.tif 000002
【特許請求の範囲】
【請求項１】
第１のネットワークセグメントに接続される第１の通信部と、
前記第１のネットワークセグメントとは異なる第２のネットワークセグメントに接続され、所定の処理の実行を要求する処理要求を、前記第２のネットワークセグメントを介して機器から受信し、その受信した前記処理要求を前記第１の通信部へ送信する第２の通信部と、
前記第１の通信部で受信した前記処理要求に応じて、前記所定の処理を実行する実行部と、を備える、
情報処理システム。
【請求項２】
前記所定の処理は、印刷処理である、
請求項１に記載の情報処理システム。
【請求項３】
前記第２の通信部は、前記機器との通信接続後に、前記印刷処理の実行を要求する前記処理要求を前記機器から受信し、受信した前記処理要求を前記第１の通信部へ送信する、
請求項２に記載の情報処理システム。
【請求項４】
前記所定の処理は、原稿から画像を読み取る画像読取処理である、
請求項１に記載の情報処理システム。
【請求項５】
前記第２の通信部は、前記機器との通信接続後に、前記画像読取処理の実行を要求する前記処理要求を前記機器から受信し、受信した前記処理要求を前記第１の通信部へ送信する、
請求項４に記載の情報処理システム。
【請求項６】
前記第２の通信部は、前記機器との通信接続後に、前記機器からの前記処理要求を受信したときに、前記実行部が、その受信した前記処理要求に応じた前記所定の処理を実行できない状態の場合は、その受信した前記処理要求を、他の情報処理システムが有する前記第２の通信部へ転送する、
請求項１に記載の情報処理システム。
【請求項７】
第１のネットワークセグメントとは異なる第２のネットワークセグメントに接続される第２の通信部が、所定の処理の実行を要求する処理要求を、前記第２のネットワークセグメントを介して機器から受信する第１受信ステップと、
前記第２の通信部が、前記第１受信ステップで受信した前記処理要求を、前記第１のネットワークセグメントに接続される第１の通信部へ送信する送信ステップと、
前記第１の通信部が、前記処理要求を受信する第２受信ステップと、
前記所定の処理を実行可能な実行部が、前記第２受信ステップで受信した前記処理要求に応じて、前記所定の処理を実行する実行ステップと、を含む、
情報処理方法。
【請求項８】
第１のネットワークセグメントとは異なる第２のネットワークセグメントに接続される第２の通信部が、所定の処理の実行を要求する処理要求を、前記第２のネットワークセグメントを介して機器から受信する第１受信ステップと、
前記第２の通信部が、前記第１受信ステップで受信した前記処理要求を、前記第１のネットワークセグメントに接続される第１の通信部へ送信する送信ステップと、
前記第１の通信部が、前記処理要求を受信する第２受信ステップと、
前記所定の処理を実行可能な実行部が、前記第２受信ステップで受信した前記処理要求に応じて、前記所定の処理を実行する実行ステップと、をコンピュータに実行させるためのプログラム。
【発明の詳細な説明】
【技術分野】
【０００１】
本発明は、情報処理システム、情報処理方法およびプログラムに関する。
【背景技術】
【０００２】
従来、画像形成装置などのネットワーク機器が、有線ＬＡＮ（Local  Area  Network）に接続する手段を有すると共に、Ｗｉ−Ｆｉなどを利用して他の機器と無線接続する手段を有し、ＬＡＮに接続されたＰＣ（Personal  Computer）や、Ｗｉ−Ｆｉなどを利用した無線接続の対象となる機器（例えばスマートデバイス）との通信が同時にできるような構成が知られている。
【０００３】
例えば特許文献１には、携帯端末装置で画像処理装置を操作する目的で、画像処理装置と携帯端末装置とを無線接続する構成が開示されている。特許文献１に開示された画像処理装置は、ＬＡＮに接続するためのインタフェース（以下、「Ｉ／Ｆ」と表記する場合がある）と、携帯端末装置と無線接続するためのＩ／Ｆとを有している。
【発明の概要】
【発明が解決しようとする課題】
【０００４】
しかしながら、特許文献１に開示された画像処理装置の構成では、ＬＡＮに接続するためのＩ／Ｆと、無線接続するためのＩ／Ｆが同一のバス（同一のネットワークセグメント）に接続された構成であるため、携帯端末装置等の他の機器とＬＡＮとの通信を遮断しつつ、他の機器と画像処理装置との無線通信（Ｗｉ−Ｆｉなどを利用した無線通信）を行うことが困難であるという問題がある。
【０００５】
本発明は、上記に鑑みてなされたものであって、機器と、システムが接続されるネットワークとの通信を遮断しつつ、当該機器と当該システムとの無線通信を行うことを目的とする。
【課題を解決するための手段】
【０００６】
上述した課題を解決し、目的を達成するために、本発明は、第１のネットワークセグメントに接続される第１の通信部と、前記第１のネットワークセグメントとは異なる第２のネットワークセグメントに接続され、所定の処理の実行を要求する処理要求を、前記第２のネットワークセグメントを介して機器から受信し、その受信した前記処理要求を前記第１の通信部へ送信する第２の通信部と、前記第１の通信部で受信した前記処理要求に応じて、前記所定の処理を実行する実行部と、を備える情報処理システムである。
【発明の効果】
【０００７】
本発明によれば、機器と、システムが接続されるネットワークとの通信を遮断しつつ、当該機器と当該システムとの無線通信を行うことができる。
【図面の簡単な説明】
【０００８】
【図１】図１は、本発明が適用されたＭＦＰの最小単位の機能構成を示す模式図である。
【図２】図２は、ＭＦＰのハードウェア構成の一例を示すブロック図である。
【図３】図３は、ＭＦＰの動作例を説明するためのシーケンス図である。
【図４】図４は、ＭＦＰの動作例を説明するためのシーケンス図である。
【図５】図５は、ＭＦＰの動作例を説明するためのシーケンス図である。
【発明を実施するための形態】
【０００９】
以下、添付図面を参照しながら、本発明に係る情報処理システム、情報処理方法およびプログラムの実施形態を詳細に説明する。以下では、本発明に係る情報処理システムを、複合機（ＭＦＰ：Multifunction  Peripheral）に適用した場合を例に挙げて説明するが、これに限定されるものではない。なお、複合機とは、印刷機能、複写機能、スキャナ機能、及びファクシミリ機能のうち少なくとも２つの機能を有する装置である。
【００１０】
図１は、本発明が適用されたＭＦＰ（画像形成装置）１００の最小単位の機能構成を示す模式図である。図１に示すように、ＭＦＰ１００は、第１の通信部１１０と、第２の通信部１２０と、実行部１３０とを有する。第１の通信部１１０は、第１のネットワークセグメントに接続される。本明細書において、「ネットワークセグメント」とは、同一のネットワークを構成する範囲の単位を指す。例えばＬＡＮにおいては、スイッチングハブやリピータハブなどで仕切られる範囲を指す。図１の例では、第１のネットワークセグメントは、ＬＡＮを構成する範囲の単位であるが、これに限られるものではない。
【００１１】
また、図１に示すように、第１の通信部１１０は、通信部間接続部１１１と、第１通信接続部１１２とを備える。通信部間接続部１１１は、第２の通信部１２０と接続するための手段である。第１通信接続部１１２は、第１のネットワークセグメントと接続するための手段である。図１の例では、第１通信接続部１１２は、ＬＡＮを介して、ＰＣや社内サーバ等の端末装置２００と接続される。
【００１２】
第２の通信部１２０は、ネットワークセグメントとは異なる第２のネットワークセグメントに接続される。この例では、第２のネットワークセグメントは、Ｗｉ−Ｆｉなどを利用した無線通信を行う範囲の単位であるが、これに限られるものではない。第２通信接続部１２２は、第２のネットワークセグメントを介して、ユーザが所持する携帯型の無線端末装置３００と接続される。この例では、無線端末装置３００は、請求項の「機器」に対応していると考えることができる。
【００１３】
また、図１に示すように、第２の通信部１２０は、通信部間接続部１２１と、第２通信接続部１２２とを備える。通信部間接続部１２１は、第１の通信部１１０と接続するための手段である。第２通信接続部１２２は、第２のネットワークセグメントと接続するための手段である。図１の例では、第２通信接続部１２２は、第２のネットワークセグメントを介して無線端末装置３００と接続される。
【００１４】
詳しくは後述するが、第２の通信部１２０は、所定の処理の実行を要求する処理要求を、第２のネットワークセグメントを介して無線端末装置３００から受信し、その受信した処理要求を第１の通信部１１０へ送信する。実行部１３０は、第１の通信部１１０で受信した処理要求に応じて、所定の処理を実行する。
【００１５】
次に、図２を用いて、ＭＦＰ１００の具体的な構成を説明する。図２は、ＭＦＰ１００のハードウェア構成の一例を示すブロック図である。図２に示すように、ＭＦＰ１００は、印刷処理、スキャナ処理などを実行可能な画像形成制御部１０と、無線端末装置３００からの処理要求（印刷処理の実行を要求する印刷要求やスキャン処理の実行を要求するスキャン要求）を受け付ける操作制御部２０と、を備える。ここでは、画像形成制御部１０は、図１に示す第１の通信部１１０に対応し、操作制御部２０は、図１に示す第２の通信部１２０に対応している。画像形成制御部１０と操作制御部２０は、専用の通信路３０を介して相互に通信可能に接続されている。通信路３０は、例えばＵＳＢ（Universal  Serial  Bus）規格のものを用いることもできるが、有線か無線かを問わず任意の規格のものであってよい。
【００１６】
次に、画像形成制御部１０のハードウェア構成について説明する。図２に示すように、画像形成制御部１０は、ＣＰＵ１１と、ＲＯＭ１２と、ＲＡＭ１３と、ＬＡＮ  Ｉ／Ｆ１４と、読取部１５と、画像形成部１６と、ＵＳＢ  Ｉ／Ｆ１７とを備え、これらがシステムバス１８を介して相互に接続されている。
【００１７】
ＣＰＵ１１は、画像形成制御部１０の動作を統括的に制御する。ＣＰＵ１１は、ＲＡＭ１３をワークエリア（作業領域）としてＲＯＭ１２等に格納されたプログラムを実行することで、画像形成制御部１０全体の動作を制御する。
【００１８】
ＬＡＮ  Ｉ／Ｆ１４は、第１のネットワークセグメントと接続するためのインタフェースである。この例では、ＬＡＮ  Ｉ／Ｆ１４は、図１に示す第１通信接続部１１２に対応していると考えることができる。
【００１９】
読取部１５は、原稿から画像を読み取るスキャン処理（画像読取処理）を実現させるための、汎用的な情報処理及び通信以外の処理を行うハードウェアである。画像形成部１６は、用紙などの記録媒体上に画像を形成する印刷処理を実現させるための、汎用的な情報処理及び通信以外の処理を行うハードウェアである。この例では、読取部１５および画像形成部１６は、図１に示す実行部１３０に対応していると考えることができる。ここでは、読取部１５および画像形成部１６は、第１の通信部１１０に対応する画像形成制御部１０内に設けられているが、これに限らず、例えば図１のように、画像形成制御部１０とは別に設けられる形態であってもよい。要するに、図１に示す実行部１３０は、第１の通信部１１０内に設けられる形態であってもよいし、第１の通信部１１０とは別に独立して設けられる形態であってもよい。
【００２０】
ＵＳＢ  Ｉ／Ｆ１７は、通信路３０を介して操作制御部２０と通信するためのインタフェースである。この例では、ＵＳＢ  Ｉ／Ｆ１７は、図１に示す通信部間接続部１１１に対応していると考えることができる。
【００２１】
次に、操作制御部２０のハードウェア構成について説明する。図２に示すように、操作制御部２０は、ＣＰＵ２１と、ＲＯＭ２２と、ＲＡＭ２３と、ＵＳＢ  Ｉ／Ｆ２４と、表示部２５と、無線通信部２６とを備え、これらがシステムバス２７を介して相互に接続されている。
【００２２】
ＣＰＵ２１は、操作制御部２０の動作を統括的に制御する。ＣＰＵ２１は、ＲＡＭ２３をワークエリア（作業領域）としてＲＯＭ２２等に格納されたプログラムを実行することで、操作制御部２０全体の動作を制御する。
【００２３】
ＵＳＢ  Ｉ／Ｆ２４は、通信路３０を介して画像形成制御部１０と通信するためのインタフェースである。表示部２５は、各種の情報（例えば無線端末装置３００から受け付けた処理要求に応じた情報、ＭＦＰ１００の動作状況を示す情報、設定状態などを示す情報など）を表示する。この例では、ＵＳＢ  Ｉ／Ｆ２４は、図１に示す通信部間接続部１２１に対応していると考えることができる。
【００２４】
無線通信部２６は、第２のネットワークセグメントを介して、無線端末装置３００と通信するためのインタフェースである。この例では、無線通信部２６は、図１に示す第２通信接続部１２２に対応していると考えることができる。
【００２５】
本実施形態では、機能の独立性を保つために、画像形成制御部１０と操作制御部２０は、別々のオペレーティングシステムで互いに独立して動作する。例えば、画像形成制御部１０を動作させるためのオペレーティングシステムのソフトウェアとしてＬｉｎｕｘ（登録商標）を用い、操作制御部２０を動作させるためのオペレーティングシステムのソフトウェアとしてＡｎｄｒｏｉｄ（登録商標）を用いることも可能である。ただし、これに限らず、例えば画像形成制御部１０と操作制御部２０が同じオペレーティングシステムで動作する形態であってもよい。
【００２６】
以上のように、本実施形態では、社内ＬＡＮなどのネットワークに接続するためのＬＡＮ  Ｉ／Ｆ１４が画像形成制御部１０に保持され、無線端末装置３００と無線接続するための無線通信部２６が操作制御部２０に保持されることで、画像形成制御部１０および操作制御部２０の各々に対して、ネットワークのデフォルトゲートウェイの設定を個別に行うことが可能になる。つまり、無線端末装置３００と、ＭＦＰ１００が接続されるネットワーク（社内ＬＡＮ等）との通信を遮断しつつ、Ｗｉ−Ｆｉなどを利用した無線通信部２６と無線端末装置３００との通信を行うことが可能になる。
【００２７】
また、本実施形態では、画像形成制御部１０と操作制御部２０とをＵＳＢ規格の通信方式で接続することで、画像形成制御部１０と操作制御部２０との間の通信を、ネットワーク通信以外の方式（シリアル通信等）で行うことができるので、静的ルーティングなどのネットワーク設定をしなくて済む。
【００２８】
次に、図３を用いて、無線端末装置３００とＭＦＰ１００との通信接続後に、ＭＦＰ１００が、印刷処理の実行を要求する処理要求（以下の説明では、「印刷要求」と称する場合がある）を無線端末装置３００から受信した場合の動作例を説明する。
【００２９】
図３に示すように、まず操作制御部２０は、無線端末装置３００に対して、操作制御部２０を識別する識別情報（例えばＳＳＩＤ）を含む信号を送信する（ステップＳ１）。この信号を受信した無線端末装置３００は、パスワードの設定等を行った上で、操作制御部２０に対して無線通信接続を要求する（ステップＳ２）。この要求を受けた操作制御部２０は、無線端末装置３００に対して無線通信接続の許可を応答する（ステップＳ３）。これにより、無線端末装置３００と操作制御部２０との無線通信接続が確立される。ステップＳ１〜ステップＳ３の内容は、公知のＷｉ−Ｆｉダイレクトなどの無線通信接続を行うための手法と同様である。
【００３０】
ステップＳ３の後、無線端末装置３００は、ユーザからの指示（操作）に従って、印刷処理の実行を要求する処理要求（印刷要求）を、操作制御部２０へ送信する（ステップＳ４）。この印刷要求には、印刷処理の実行命令や印刷対象の画像データ（印刷データ）などが含まれる。次に、操作制御部２０は、無線端末装置３００から受信した印刷要求を、画像形成制御部１０へ送信する（ステップＳ５）。そして、画像形成制御部１０（画像形成部１６）は、操作制御部２０から受信した印刷要求に応じて、印刷処理を実行する（ステップＳ６）。印刷処理が完了すると、画像形成制御部１０は、印刷処理の完了を示す完了通知を操作制御部２０へ送信し（ステップＳ７）、操作制御部２０は、画像形成制御部１０から受信した完了通知を無線端末装置３００へ送信する（ステップＳ８）。
【００３１】
次に、図４を用いて、無線端末装置３００とＭＦＰ１００との通信接続後に、ＭＦＰ１００が、原稿から画像を読み取る画像読取処理（スキャン処理）の実行を要求する処理要求（以下の説明では、「スキャン要求」と称する場合がある）を無線端末装置３００から受信した場合の動作例を説明する。図４に示すステップＳ１１〜ステップＳ１３の処理の内容は、図３に示すステップＳ１〜ステップＳ３の処理内容と同様であるので、詳細な説明は省略する。
【００３２】
ステップＳ１３の後、無線端末装置３００は、ユーザからの指示（操作）に従って、スキャン処理の実行を要求する処理要求（スキャン要求）を、操作制御部２０へ送信する（ステップＳ１４）。このスキャン要求には、スキャン処理の実行命令やスキャン処理の設定を示す情報などが含まれる。次に、操作制御部２０は、無線端末装置３００から受信したスキャン要求を、画像形成制御部１０へ送信する（ステップＳ１５）。そして、画像形成制御部１０（読取部１５）は、操作制御部２０から受信したスキャン要求に応じて、スキャン処理を実行する（ステップＳ１６）。スキャン処理が完了すると、画像形成制御部１０は、スキャン処理により得られた画像情報（原稿から読み取られた画像情報）を操作制御部２０へ送信し（ステップＳ１７）、操作制御部２０は、画像形成制御部１０から受信した画像情報を無線端末装置３００へ送信する（ステップＳ１８）。
【００３３】
なお、操作制御部２０は、無線端末装置３００との通信接続後に、無線端末装置３００からの処理要求（この例では印刷要求またはスキャン要求）を受信したときに、画像形成制御部１０（この例では読取部１５または画像形成部１６）が、その受信した処理要求に応じた所定の処理（この例では印刷処理またはスキャン処理）を実行できない状態の場合は、その受信した処理要求を、自装置と同様の機能を有する他のＭＦＰ１０００の操作制御部２０へ転送することもできる。
【００３４】
以下、この場合の一例として、無線端末装置３００とＭＦＰ１００との通信接続後に、ＭＦＰ１００（操作制御部２０）が、無線端末装置３００からの印刷要求を受信した場合の動作例を、図５を用いて説明する。以下の説明では、ＭＦＰ１００が有する画像形成制御部１０を「画像形成制御部１０ａ」、ＭＦＰ１００が有する操作制御部２０を「操作制御部２０ａ」と表記し、他のＭＦＰ１０００が有する画像形成制御部１０を「画像形成制御部１０ｂ」、他のＭＦＰ１０００が有する操作制御部２０を「操作制御部２０ｂ」と表記する場合がある。
【００３５】
図５に示すように、まずＭＦＰ１００の操作制御部２０ａは、他のＭＦＰ１０００の操作制御部２０ｂに対して、操作制御部２０ａを識別する識別情報（例えばＳＳＩＤ）を含む信号を送信する（ステップＳ２１）。この信号を受信した他のＭＦＰ１０００の操作制御部２０ｂは、パスワードの設定等を行った上で、操作制御部２０ａに対して通信接続を要求する（ステップＳ２２）。この要求を受けた操作制御部２０ａは、他のＭＦＰ１０００の操作制御部２０ｂに対して通信接続の許可を応答する（ステップＳ２３）。これにより、操作制御部２０ａと操作制御部２０ｂとの通信接続が確立される。ステップＳ２１〜ステップＳ２３の内容は、公知のＷｉ−Ｆｉダイレクトなどの無線接続を行うための手法と同様である。
【００３６】
次に、操作制御部２０ａは、無線端末装置３００に対して、操作制御部２０ａを識別する識別情報（例えばＳＳＩＤ）を含む信号を送信する（ステップＳ２４）。この信号を受信した無線端末装置３００は、パスワードの設定等を行った上で、操作制御部２０ａに対して通信接続を要求する（ステップＳ２５）。この要求を受けた操作制御部２０ａは、無線端末装置３００に対して通信接続の許可を応答する（ステップＳ２６）。これにより、無線端末装置３００と操作制御部２０ａとの通信接続が確立される。ステップＳ２４〜ステップＳ２６の内容は、公知のＷｉ−Ｆｉダイレクトなどの無線接続を行うための手法と同様である。
【００３７】
ステップＳ２６の後、無線端末装置３００は、ユーザからの指示（操作）に従って、操作制御部２０ａに対して印刷要求を送信する（ステップＳ２７）。無線端末装置３００からの印刷要求を受信した操作制御部２０ａは、自装置（ＭＦＰ１００）の画像形成制御部１０ａに対して、画像形成部１６が印刷処理を実行可能な状態であるか否かを問い合わせる（ステップＳ２８）。この問い合わせを受けた画像形成制御部１０ａは、現在の画像形成部１６の状態を確認し、画像形成部１６が印刷処理を実行可能な状態であるか否かを示す応答信号を、操作制御部２０ａへ送信する（ステップＳ２９）。例えば画像形成制御部１０ａからの問い合わせを受けた時点で、画像形成部１６が、他の印刷要求に応じた印刷処理を実行中である場合は、新たな印刷要求に応じた印刷処理を実行することは困難な状況であるため、この場合は、画像形成部１６が印刷処理を実行可能な状態ではないことを示す応答信号が操作制御部２０ａへ送信されるといった具合である。
【００３８】
操作制御部２０ａは、画像形成部１６が印刷処理を実行可能な状態ではないことを示す応答信号を受信した場合、ステップＳ２７で無線端末装置３００から受信した印刷要求を、他のＭＦＰ１０００の操作制御部２０ｂへ送信する（ステップＳ３０）。この印刷要求を受信した操作制御部２０ｂは、その受信した印刷要求を、自装置（ＭＦＰ１０００）の画像形成制御部１０ｂへ送信する（ステップＳ３１）。説明の便宜上、このときの他のＭＦＰ１０００の画像形成部１６の状態は、印刷処理を実行可能な状態であるとする。そして、画像形成制御部１０ｂ（画像形成部１６）は、操作制御部２０ｂから受信した印刷要求に応じて、印刷処理を実行する（ステップＳ３２）。印刷処理が完了すると、画像形成制御部１０ｂは、印刷処理の完了を示す完了通知を操作制御部２０ｂへ送信し（ステップＳ３３）、操作制御部２０ｂは、画像形成制御部１０ｂから受信した完了通知をＭＦＰ１００の操作制御部２０ａへ送信する（ステップＳ３４）。この完了通知を受信した操作制御部２０ａは、その受信した完了通知を、無線端末装置３００へ送信する（ステップＳ３５）。
【００３９】
なお、例えば無線端末装置３００とＭＦＰ１００との通信接続後に、ＭＦＰ１００が、無線端末装置３００からのスキャン要求を受信した場合の動作例についても、図５の場合と同様にして考えることができる。
【００４０】
以上に説明したように、本実施形態では、社内ＬＡＮなどのネットワークに接続するためのＬＡＮ  Ｉ／Ｆ１４が画像形成制御部１０に保持され、無線端末装置３００と無線接続するための無線通信部２６が操作制御部２０に保持されることで、画像形成制御部１０および操作制御部２０の各々に対して、ネットワークのデフォルトゲートウェイの設定を個別に行うことが可能になる。つまり、無線端末装置３００と、ＭＦＰ１００が接続されるネットワーク（社内ＬＡＮ等）との通信を遮断しつつ、Ｗｉ−Ｆｉなどを利用した無線通信部２６と無線端末装置３００との通信を行うことが可能になる。
【００４１】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。
【００４２】
なお、上述の実施形態では、図１に示す第１の通信部１１０と、図１に示す第２の通信部１２０とが同一の装置（上述の実施形態ではＭＦＰ１００）に搭載される形態を例に挙げて説明したが、これに限らず、例えば第１の通信部１１０が搭載される装置と、第２の通信部１２０が搭載される装置とが異なる形態であってもよい。
【００４３】
（プログラム）
上述した実施形態のＭＦＰ１００で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【符号の説明】
【００４４】
１０    画像形成制御部
１４    ＬＡＮ  Ｉ／Ｆ
１５    読取部
１６    画像形成部
２０    操作制御部
２６    無線通信部
３０    通信路
１００  ＭＦＰ
１１０  第１の通信部
１１１  通信部間接続部
１１２  第１通信接続部
１２０  第２の通信部
１２１  通信部間接続部
１２２  第２通信接続部
１３０  実行部
２００  端末装置
３００  無線端末装置
【先行技術文献】
【特許文献】
【００４５】
【特許文献１】特開２００５−０４５３０８号公報
【図１】
2015142288.tif 000003
【図２】
2015142288.tif 000004
【図３】
2015142288.tif 000005
【図４】
2015142288.tif 000006
【図５】
2015142288.tif 000007